(57)【要約】【課題】今後の治水、護岸工事は湖沼、池、河川の環境保全が主体となり、水際の緑化、水質保全、稚魚、幼魚、幼虫等の育成に適し、敷設が容易な方法が求められている。従来、提供されている方法ではこれらの各種の要求を満足できないため、本発明においては、これらの要求を全て満たす方法を提供する。【解決手段】有孔あるいは網状パイプより形成された、側面パイプを有し連結可能な芯材パイプの周囲に水質浄化物質を巻着した上を天然植物繊維シートをロール状に巻き重ねて天然植物繊維の網で固定し、側面パイプと芯材パイプの端末を稚魚、幼魚、幼虫等が通過可能な間隔を有する格子状のスクリーンで被った護岸植生ロールを提供する。【選択図】      図１
2004211410.tif 000002
【特許請求の範囲】
【請求項１】
有孔パイプおよび網状パイプから選ばれた少なくとも一種からなる芯材パイプの周囲に水質浄化物質を巻着した上に天然植物繊維より形成されるシートをロール状に巻き重ねた表面を天然植物繊維の網で包んで巻きほどけないように固定し、表面より芯材パイプへ貫通する有孔パイプおよび網状パイプから選ばれた少なくとも一種からなる側面パイプを枝状に複数設けて表面端末を稚魚、幼魚および幼虫が通過可能な間隔を有する格子状のスクリーンで被って芯材パイプに接続し、芯材パイプ同士を連結可能に作成し、連結された芯材パイプの始点と終点の端末を稚魚、幼魚および幼虫が通過可能な間隔を有する格子状のスクリーンで被ったことを特徴とする湖沼、池、河川の水質浄化、稚魚、幼魚、幼虫育成護岸植生ロール。
【請求項２】
上記芯材パイプを形成する有効パイプおよび網状パイプが合成樹脂、竹や藤等の植物および金属から選ばれた少なくとも一種であることを特徴とする請求項１に記載の湖沼、池、河川の水質浄化、稚魚、幼魚、幼虫育成護岸植生ロール。
【請求項３】
上記水質浄化物質が活性炭およびセラミックから選ばれた少なくとも一種であることを特徴とする請求項１に記載の湖沼、池、河川の水質浄化、稚魚、幼魚、幼虫育成護岸植生ロール。
【請求項４】
上記天然植物繊維が天然ヤシ繊維であることを特徴とする請求項１に記載の湖沼、池、河川の水質浄化、稚魚、幼魚、幼虫育成護岸植生ロール。
【発明の詳細な説明】
【０００１】
【発明の属する技術分野】
本発明は稚魚、幼魚および幼虫を保護するスクリーンを配し、水質浄化作用を持たせた護岸工事に使用される植生ロールに関している。
【０００２】
【従来の技術】
湖沼、池、河川の環境を保全するため、コンクリートブロックに代わり、緑化と護岸工事用に植生ロールを水際部分に敷設して植生繁茂に供する方法が取られている。従来の植生ロールは合成樹脂や繊維を芯材として固く巻回したロールを形成していて、植生繁茂のため種子をロール内に包含させた製品も供給されている。稚魚、幼魚、幼虫等は水際で成長することが多く捕食成魚や鳥獣から保護する必要があるが、従来の植生ロールは稚魚、幼魚、幼虫等に安住の地を提供していない。また、水質浄化作用に適した構成となっていない。
【０００３】
稚魚、幼魚、幼虫等を捕食成魚や鳥獣から保護するために魚巣ブロックが提供されている。しかし、魚巣ブロックは護岸工事用の植生繁茂に適していない。
【０００４】
【発明が解決しようとする課題】
今後の治水、護岸工事は湖沼、池、河川の環境保全が主体となり、水際の緑化、水質保全、稚魚、幼魚、幼虫等の育成に適し、敷設が容易な方法が求められている。従来、提供されている方法ではこれらの各種の要求を満足できないため、本発明においては、これらの要求を全て満たす方法を提供する。
【０００５】
【課題を解決するための手段】
上記のように、湖沼、池、河川の護岸工事において水際の緑化のための植生、水質浄化、稚魚、幼魚、幼虫等の育成を同時に行う最適な方法として、護岸工事に使用する植生ロールを敷設が容易なように植生ロールの芯材として使用するパイプの端末にジョイントを装着することができるようにして、連結可能としている。パイプの材質としては有孔パイプまたは網状パイプが適している。
【０００６】
この芯材パイプの周囲に水質浄化物質として活性炭またはセラミックの層を天然植物繊維や天然ヤシ繊維を素材とするシートをロール状に巻き重ねた中に設け、ロールの表面を天然植物繊維の目の粗い網で包んで巻きほどけないように固定することで、水が芯材パイプ内を流れ、巻き込んだ活性炭またはセラミック層でろ過される。稚魚、幼魚および幼虫がこの芯材パイプ内に逃げ込むことを可能とするため、通過可能な間隔を有する格子状のスクリーンで端末を被った有孔パイプまたは網状パイプで形成された側面パイプを枝状に複数設けて芯材パイプに接続している。側面パイプの付いた芯材パイプをジョイントで連結して敷設する。芯材パイプの始点と終点を稚魚、幼魚および幼虫が通過可能な間隔を有する格子状のスクリーンで被うことで捕食成魚を芯材パイプ内に入り込ませなくしている。芯材パイプの連結には、ジョイントを使用せず、直接芯材パイプ同士を連結する方法もある。
【０００７】
【発明の実施の形態】
本発明になる湖沼、池、河川の水質浄化、稚魚、幼魚、幼虫育成護岸植生ロールの作成に当たっては、通常、厚さ１０〜２０ｍｍ、幅２〜６ｍ程度のシート状になった天然ヤシ繊維または天然植物繊維を使用するが、任意の厚さや幅でもよい。また、直径は任意の大きさのシート状になった天然ヤシ繊維または天然植物繊維を円筒ロール状に巻いて、ロール形状を安定させるため表面を天然植物繊維から成る目合が３０〜１００ｍｍ程度の網で包んでいるが、目合の大きさも限定されない。
【０００８】
上記天然ヤシ繊維または天然植物繊維より形成された円筒ロールの芯材としては、直径は限定されず任意の大きさの有孔パイプまたは網状パイプを長手方向に使用する。有孔パイプまたは網状パイプの素材は合成樹脂、竹、藤等の植物、金属等である。
【０００９】
芯材パイプの側面から複数の有孔パイプまたは網状パイプが枝状に上記円筒ロールの外まで突出している。側面パイプは芯材パイプに貫通し、側面パイプを芯材パイプに固定する時期は任意であり、上記円筒ロールを形成前でも形成後でもよい。
【００１０】
芯材パイプを活性炭またはセラミックで取り巻いた上にシート状になった天然ヤシ繊維または天然植物繊維を巻き付けて円筒ロールを形成することで水質浄化の働きをさせることができる。
【００１１】
【実施例】
実施例について図面を参照して詳細に説明する。
図１は本発明の湖沼、池、河川の水質浄化、稚魚、幼魚、幼虫育成護岸植生ロールの一部を切欠した状態を示す説明図である。図２は正面図であり、図３は側面図である。芯材パイプ２の側面には接続した空洞を有する側面パイプ４が複数本突出し、芯材パイプ２の周囲を水質浄化物質３で被っていて、水質浄化物質３の上から植生ロール１を巻き付け、目の粗い網５で固定している。側面パイプ４の表面は格子状のスクリーン６で被われている。芯材パイプ２は水が浸透するように有孔パイプまたは網状パイプを使用している。芯材パイプ２の外周に活性炭やセラミック質等の水質浄化物質３を配することで芯材パイプ２の外側の水をろ過し、芯材パイプ２内へ浄化した水を供給する。
【００１２】
水質浄化物質３を構成する活性炭またはセラミック質を芯材パイプ２の周囲に巻き込んで、シート状にした天然ヤシ繊維または天然植物繊維を巻いて円筒ロール形状の植生ロール１にする。側面パイプ４は植生ロール１の表面に露出する。植生ロール１に目の粗い網５を掛けて形状を固定して完成する。
【００１３】
図４は植生ロールを連結した状態を示す断面図である。植生ロール１を連結するために、ジョイント７を使用する。ジョイント７は芯材パイプ２に挿入後、固定され、芯材パイプ２同士を連結するので、従来のように植生ロールの連結に網を使用する必要がなくなり、大幅に手間を削減できる。ジョイント７の固定方法は限定されず、圧入、螺着、凹凸の嵌合等各種の方法が考えられる。
【００１４】
図５は本発明の湖沼、池、河川の水質浄化、稚魚、幼魚、幼虫育成護岸植生ロールを池の一部に使用した一実施例を示している。植生ロール１内の芯材パイプ２をジョイント７（隠れて見えないが）で連結している。格子状のスクリーン６を具備した側面パイプ５が植生ロール１の側面から露出していて稚魚、幼魚、幼虫等は水中にある側面パイプ５の格子状のスクリーン６から出入できるので捕食成魚や鳥獣から芯材パイプ２内に避難することができる。芯材パイプ２の端末から捕食成魚が入り込まないように、連結した芯材パイプ２の始点と終点に格子状のスクリーンを装着している。植生ロール１は水際から移動しないように水底に打ち込まれた木杭８で固定されている。植生ロール１の上部には植物が植えられ水際の緑化と景観保持に役立っている。また、本発明の植生ロール１を使用することで、芯材パイプ２の周囲に配置した活性炭やセラミック等の水質浄化物質３の作用で水質を向上させ、水中生物や水中植物の生育に寄与している。
【００１５】
【発明の効果】
本発明になる護岸植生ロールは従来の護岸植生ロールと異なり、水際の緑化機能、水質浄化機能、湖沼、池、河川における稚魚、幼魚、幼虫育成機能を有していて、大量生産可能であり、安価に需要に対応することができる。自然保護と環境保全が重要になっている現代社会において、最も必要とする製品である。
【００１６】
天然植物繊維を主体としているので環境にやさしく、ジョイントにより植生ロールを連結するので連結の手間が掛からず、作業コストの減少になる。
【図面の簡単な説明】
【図１】一部を切欠した状態を示す説明図である。
【図２】正面図である。
【図３】側面図である。
【図４】植生ロールを連結した状態を示す断面図である。
【図５】植生ロールを池の一部に使用した一実施例を示す説明図である。
【符号の説明】
１  植生ロール
２  芯材パイプ
３  水質浄化物質
４  側面パイプ
５  目の粗い網
６  格子状のスクリーン
７  ジョイント
８  木杭
９  植物
【図１】
2004211410.tif 000003
【図２】
2004211410.tif 000004
【図３】
2004211410.tif 000005
【図４】
2004211410.tif 000006
【図５】
2004211410.tif 000007